(57)【要約】      （修正有）【課題】冷蔵庫での冷却や氷の使用なしに、効果的に体熱を吸熱するとともに、中材の固形化を防止することができる冷感マットを提供する。【解決手段】上面材２と、下面材と、該上面材２と下面材との間に配された中材４とを具える冷感マット１であって、中材４が、水、硫酸ナトリウム、塩化ナトリウム、カオリン及び炭素を含み、コストを下げて製造することができるとともに、冷蔵庫での冷却や氷の使用なしに、体熱を吸収することができる。また、中材４が、それぞれ比重の異なるカオリン及び炭素を含むことにより、これらが中材４内で分散して配置されるので、共に熱伝導率が高いカオリン及び炭素にて中材４の温度が均一化される。【選択図】図１
0003174756.tif 000002
【実用新案登録請求の範囲】
【請求項１】
上面材と、下面材と、該上面材と下面材との間に配された中材とを具える冷感マットであって、
前記中材が、水、硫酸ナトリウム、塩化ナトリウム、カオリン及び炭素を含むことを特徴とする冷感マット。
【請求項２】
前記カオリン及び炭素の配合量は、質量％で前記中材の０．５〜７％である請求項１記載の冷感マット。
【請求項３】
前記上面材と下面材とが、光硬化型接着剤にて接着された接着部を有する請求項１又は２記載の冷感マット。
【請求項４】
前記接着部が、マット長手方向の複数箇所にて平行に形成されている請求項３記載の冷感マット。
【請求項５】
前記上面材及び／又は下面材に、防水加工が施されている請求項１〜４のいずれかに記載の冷感マット。
【請求項６】
前記上面材及び／又は下面材に、防カビ加工が施されている請求項１〜５のいずれかに記載の冷感マット。
【考案の詳細な説明】
【技術分野】
【０００１】
本考案は、冷蔵庫での冷却や氷の使用なしに、熱を吸収する冷感マットに関し、詳しくは、使用者の接触部位の体温を吸収でき、かつ使用者にゴツゴツとした違和感を与えることなく、好適な冷涼感と触感を与えることができる冷感マットに関する。
【背景技術】
【０００２】
例えば夏季の寝苦しい夜などに快適な睡眠を得るために、冷蔵庫での冷却や氷の使用なしに、熱を吸収する冷感マットがある（例えば下記特許文献１参照）。特許文献１には、上面材と、下面材と、該上面材と下面材との間に挟持された中材とからなり、前記中材が、塩化カルシウム６水和物からなる冷感マットが開示されている。
【０００３】
この特許文献１に開示された冷感マットでは、中材に塩化カルシウム６水和物を用いることにより、製造コストが安価で、かつ冷蔵庫での冷却や氷の使用なしに、熱が吸収される。しかし、高温環境下では、中材が固形化されて大きな塊状となり、それらが融解されるまでに使用すると、使用者にゴツゴツとした違和感を与え、さらに中材が固形化されたことにより熱の吸収量が低下する恐れがあった。
【０００４】
また特許文献２には、前記中材に水、硫酸ナトリウム、塩化ナトリウム及びカオリンの粉末を含む冷感マットが開示されている。この冷感マットでは、熱伝導率が高いカオリンの粉末を冷感マット内の中材に分散配置することにより、中材の温度を均一化して一部の中材が固形化されるの防止している。なお、この冷感マットは、その生産工程にて、上面材と下面材とが熱溶着されて形成される。
【先行技術文献】
【特許文献】
【０００５】
【特許文献１】実用新案登録第３１５１７４８号公報
【特許文献２】実用新案登録第３１７１６２９号公報
【考案の概要】
【考案が解決しようとする課題】
【０００６】
しかしながら、特許文献２に記載された冷感マットでは、例えばカオリンの粉末が沈殿し、カオリンの粉末の分散状態が維持されない場合、中材の温度が均一とならずに、中材が部分的に固形化される恐れがあり、使用者にゴツゴツとした違和感を与えてしまう。また冷感マットの一部が固形化されると、その部分での放熱能力が低下し、使用者の接触部位において、体温を吸収できなくなることも考えられる。
【０００７】
そこで本考案は、上記問題点に鑑み案出なされたもので、冷蔵庫での冷却や氷の使用なしに、使用者の接触部位の体温を吸収でき、かつ使用者にゴツゴツとした違和感を与えることなく、好適な冷涼感と触感を与えることができる冷感マットを提供することにある。
【課題を解決するための手段】
【０００８】
本考案のうち請求項１記載の考案は、上面材と、下面材と、該上面材と下面材との間に配された中材とを具える冷感マットであって、前記中材が、水、硫酸ナトリウム、塩化ナトリウム、カオリン及び炭素を含むことを特徴とする。
【０００９】
また請求項２記載の考案は、前記カオリン及び炭素の配合量は、質量％で前記中材の０．５〜７％である請求項１記載の冷感マットである。
【００１０】
また請求項３記載の考案は、前記上面材と下面材とが、光硬化型接着剤にて接着された接着部を有する請求項１又は２記載の冷感マットである。
【００１１】
また請求項４記載の考案は、前記接着部が、マット長手方向の複数箇所にて平行に形成されている請求項３記載の冷感マットである。
【００１２】
また請求項５記載の考案は、前記上面材及び／又は下面材に、防水加工が施されている請求項１〜４のいずれかに記載の冷感マットである。
【００１３】
また請求項６記載の考案は、前記上面材及び／又は下面材に、防カビ加工が施されている請求項１〜５のいずれかに記載の冷感マットである。
【考案の効果】
【００１４】
本考案によれば、中材が、硫酸ナトリウムと塩化ナトリウムとを含むことにより、コストを下げて製造することができるとともに、冷蔵庫での冷却や氷の使用なしに、体熱を吸収することができる。また、中材が、それぞれ比重の異なるカオリン及び炭素を含むことにより、これらが中材内に分散して配置されるので、共に熱伝導率が高いカオリン及び炭素にて中材の温度が均一化され、中材の一部が固形化されるのを防止できる。
【００１５】
また、請求項２に係る考案によれば、上面材と下面材とを、光硬化型接着剤にてマット長手方向の複数箇所にて平行に接着させることで、使用中に中材に偏りが生じることがなく、さらに、小さく折り畳むことが可能になり、携帯や収納が容易になる。
【００１６】
さらに、請求項５及び６に係る考案によれば、上面材および／または下面材に防水加工や防カビ加工を施すことで、湿気によりカビや雑菌の発生を防止できる効果も得られる。
【図面の簡単な説明】
【００１７】
【図１】本考案の冷感マットの一構成例を示す全体斜視図である。
【図２】図１に示す冷感マットの拡大断面図である。
【図３】本考案の冷感マットの作用説明する断面図である。
【図４】冷感マットの折り畳み状態を示す側面図である。
【図５】冷感マットの他の折り畳み状態を示す側面図である。
【図６】（ａ）及び（ｂ）は、夫々冷感マットの使用例を示す正面図である。
【考案を実施するための形態】
【００１８】
以下、本考案の一実施形態が、図面に基づき説明される。
図１には本考案の冷感マット１の全体斜視図、図２にはその拡大断面図が示される。本実施形態の冷感マット１は、上面材２と、下面材３と、これら上面材２と下面材３との間に配された中材４とを具え、該中材４は、水、硫酸ナトリウム、塩化ナトリウム、カオリン及び炭素を含む混合物からなることを特徴とする。なお、前記カオリン及び炭素は、粉末状に加工されたものが使用される。
【００１９】
このような本考案の冷感マット１は、低コストで製造することができる。また、本考案の冷感マット１は、冷蔵庫での冷却や氷の使用なしに、効果的に発熱体の熱を吸収することができる。また、中材４は、カオリン及び炭素を含むことにより、結晶状態で大粒化、固形化することが抑制され、使用時のゴツゴツした違和感を解消することが可能となる。
【００２０】
本実施形態の冷感マット１は、上面材２および下面材３がいずれも二層構造である。上面材２は、外側に配設されるポリエステルからなる外層シート５と、内側に配設される塩化ビニルからなる内層シート６とからなる。また、下面材３は、外側に配設されるポリエステルからなる外層シート７と、内側に配設される塩化ビニルからなる内層シート８からなる。これら上面材２を構成する外層シート５および内層シート６と、下面材３を構成する外層シート７および内層シート８とは、それぞれ光硬化型接着剤にて接着された接着部９を有している。また、上面材２と下面材３との周縁には、ロック加工が施されている。
【００２１】
上面材２と下面材３との間は、袋状をなし、その中に、水、硫酸ナトリウム、塩化ナトリウム、カオリン及び炭素を含む混合物からなる中材４が封入されている。
【００２２】
硫酸ナトリウムは、通常、乾燥剤として用いられており、人体に対して安全性の高い物質として知られている。また硫酸ナトリウム水和物は、加熱すると約３２℃で結晶水に溶けて融解し、１００℃で無水和物となる。また融解の際、周囲の熱を吸収し温度を下げることで、寒剤として高い効果が得られる。
【００２３】
本考案では、中材４の一部として硫酸ナトリウム水和物を封入し、かかる中材４を使用した冷感マット１を身体に接触させることで、体温により硫酸ナトリウム水和物が結晶水に溶けて融解する。これにより、冷感マット１は、身体から発生される熱を効率よく吸収し、使用者は心地よい冷感を得ることができる。
【００２４】
また前記塩化ナトリウムは、工業的に一般に消費されているものを好適に使用することができる。そして、中材４に塩化ナトリウムを混合することで、結晶状態の中材４が大粒化することなく、使用の直後において、ゴツゴツした違和感を解消することが可能となる。
【００２５】
なお、前記中材４を構成する硫酸ナトリウム水和物と塩化ナトリウムの合計量に対し、塩化ナトリウムは、好ましくは５〜２０質量％、より好ましくは１０％質量とする。
【００２６】
前記カオリン及び炭素は、粉末状に加工された後、中材４の一部として分散して配置される。ここでカオリンは、長石、雲母が風化してできた鉱石であり、含水ケイ酸アルミニウムである。その粒子は極めて小さく、表面積が大きく吸着力に優れている。また炭素は、カオリンに対して比重が小さく、熱伝導性に優れている。
【００２７】
図３に示されるように、冷感マット１の上面材２に身体が載せられる場合、温度の勾配ができ、上面材２側は高温度域ａになり、下面材３側は低温度域ｂになる。しかし、熱伝導率の大きく、それぞれ比重の異なるカオリン及び炭素の粉末が、中材４の中で分散して配される事により、これらの温度差を緩和し、内部温度の均一化が図られる。特に中材４の内部で温度差が大きい場合、上面材２側の高温度域ａで中材４の固形化、塊状化が進みやすいが、カオリン及び炭素の粉末を配合することにより、固形化を遅らせ、ゴツゴツした違和感などを防止できる。
【００２８】
このような効果を有効に発揮させるために、前記カオリン及び炭素の粉末の合計量は、質量％で前記中材４の０．５〜７％であるのが望ましい。なお、カオリン及び炭素の粒径などは、適宜設定され、特に限定されるものではない。
【００２９】
上記接着部９は、上面材２と下面材３の間に塗布された光硬化型接着剤に紫外線等の光を照射することにより、光硬化型接着剤を硬化させ、上面材２と下面材３とを接着して形成されている。この光硬化型接着剤を用いた接着方法では、例えば高周波加工を用いて熱溶着した場合に生じる恐れがある残留化合物が発生しないので、無害で安全な冷感マット１を生産できる。
【００３０】
また、上記接着部９は、上面材２と下面材３の周囲、および、マット長手方向の複数箇所にて形成することが好ましい。図示するように、接着部９を、マット長手方向の複数箇所にて、平行状態で形成することで、使用中において中材４の偏りが生じることがなくなる。また、接着部９を形成することにより、冷感マット１を、図４に示されるように、三つ折りに折り畳むことや、図５に示されるように、六つ折りに折り畳むことも可能となるので、携帯や収納が容易になるというメリットも得られる。
【００３１】
また、上面材２および／または下面材３には、防水加工を施すことが好ましい。上面材２および／または下面材３に防水加工を施すことにより、身体からの発汗による汗が中材４まで浸透することがなくなり、湿気によるカビや雑菌の発生を防止する効果が得られる。防水加工は、表面を防水性を有する材料により被覆するか、または疎水化して、水の浸透を防ぐ加工であり、油脂やワックス、液状の合成樹脂、シリコーン等素材が使用される。より好適には、防水加工を、上面材２の外層シート５の表面と、下面材３の外層シート７の表面とに、それぞれ施すことが好ましい。
【００３２】
さらに、上面材２および／または下面材３には、防カビ加工を施すことも好ましい。上面材２および／または下面材３に防カビ加工を施すことにとで、冷感マット１の表面にカビや雑菌が発生することを防止できる。防カビ加工は、銀、銅、亜鉛、ゼオライト、キトサン等の天然系抗菌剤や、酸化チタン等の無機系の素材を、塗布するかシート内に練り込むことにより施すことができる。防カビ加工を施すことができる。
【００３３】
本考案の冷感マット１は、夏季の寝苦しい夜などに快適な睡眠を得るために、頭部や頸部の下に敷設させる枕としての使用はもとより、ベッドパッドや敷布団パッド、クッションパッド等に幅広く利用することができる。また、その他にも、ノート型パソコンの下に敷設させることで、パソコンから放出される熱気を吸収して、好適な条件での使用が実現できる。
【００３４】
本考案の冷感マット１の具体的な使用例として、図６（ａ）に示されるように、枕１０に具備することができる。この際、冷感マット１をメッシュ状の袋１１内に収容させ、かかる冷感マット１を枕１０の一部、例えば、首の頚部が載置される箇所に具備することにより、より快適な睡眠を得ることができる。また、図６（ｂ）に示されるように、クッションや座布団等の敷設具１２の全面に具備することもできる。
【００３５】
なお、本考案の冷感マット１の大きさについては、特に限定されるものではなく、枕に使用する小型のタイプから、ベッドパットに使用する大型サイズのものまで、用途に応じて、適宜寸法とすることができる。その一例として、３０ｃｍ×１５ｃｍの小型パットから、９０ｃｍ×１４０ｃｍの大型パットとしての冷感パットを形成することができる。
【符号の説明】
【００３６】
１ 冷感マット
２ 上面材
３ 下面材
４ 中材
５ 外層シート
６ 内層シート
７ 外層シート
８ 内層シート
９ 接着部
１０ 枕
１１ 袋
１２ 敷設具
【図１】
0003174756.tif 000003
【図２】
0003174756.tif 000004
【図３】
0003174756.tif 000005
【図４】
0003174756.tif 000006
【図５】
0003174756.tif 000007
【図６】
0003174756.tif 000008